(57)【特許請求の範囲】
【請求項１】
箱体の内面側に開いた断面形状を持つ折曲フレームを組み合わせてなる天井枠及び底枠の四隅に、折曲部材からなるコーナー金具を接合し、箱体の内面側に開いた断面形状を持つ折曲フレームからなる支柱フレームの上下端部をこれらのコーナー金具に接続金具で接合することにより、直方体状のフレームを構成した電気機器収納用箱のフレーム構造であって、
コーナー金具は底部と立上部の両側に折曲辺を備えた形状であり、天井枠及び底枠を形成する横フレームは連結部の両側に腕部を備えた形状であり、支柱フレームは固定辺とこれに平行な対向辺を備えた形状であり、
コーナー金具の両側の折曲辺を、横フレームの両側の腕部と、支柱フレームの固定辺及び対向辺に当接させて接合したことを特徴とする電気機器収納用箱のフレーム構造。
【請求項２】
扉が取付けられる前面側のコーナー金具と支柱フレームとの接続金具による接合を、扉の端部の折曲部よりも箱体の内側で行ったことを特徴とする請求項１記載の電気機器収納用箱のフレーム構造。
【請求項３】
コーナー金具と支柱フレームとの接続金具による接合を、箱体の前後方向と側面方向の２方向から行ない、側面方向の接続金具を側板で覆ったことを特徴とする請求項２記載の電気機器収納用箱のフレーム構造。
【請求項４】
支柱フレームには、側板を固定するための取付金具を着脱自在に設け、隣接する箱体を連結する連結金具として機能させることを特徴とする請求項３記載の電気機器収納用箱のフレーム構造。
【請求項５】
前記天井枠及び底枠は折曲フレームからなる横フレーム及び奥行フレームからなり、
これらの横フレーム及び奥行フレームの端部に空間部を形成し、この空間部にコーナー金具を接合したことを特徴とする請求項１記載の電気機器収納用箱のフレーム構造。
【発明の詳細な説明】
【技術分野】
【０００１】
本発明は、電気機器収納用箱のフレーム構造に関するものである。
【背景技術】
【０００２】
フレーム構造からなる従来の電気機器収納用箱は、支柱フレーム、横フレーム、奥行フレームを４本ずつ組合せ、各フレームの端部どうしを溶接して直方体状のフレームを構成していた。しかし組立をより容易に行うことができるようにするために、特許文献１に示すように、中空断面形状を持つ支柱フレーム、横フレーム、奥行フレームの各端部を、コーナーピースに差し込んで固定する構造が提案されている。
【０００３】
この特許文献１に示された電気機器収納用箱のフレーム構造は、コーナーピースによって接続部の強度を確保することができる利点がある。しかしその反面、３方向に接続用の脚部を突設させたコーナーピースを鋳造によって専用部品として製造しなければならず、製造コストが高くなるという問題があった。
【先行技術文献】
【特許文献】
【０００４】
【特許文献１】特開平９−１２１０９２号公報
【発明の概要】
【発明が解決しようとする課題】
【０００５】
従って本発明の目的は上記した従来の問題点を解決し、構造が簡単で製造コストが安価であり、鋳造による専用部品を必要とせずに強固なフレーム構造を構成することができる電気機器収納用箱のフレーム構造を提供することである。
【課題を解決するための手段】
【０００６】
上記の課題を解決するためになされた本発明は、箱体の内面側に開いた断面形状を持つ折曲フレームを組み合わせてなる天井枠及び底枠の四隅に、折曲部材からなるコーナー金具を接合し、箱体の内面側に開いた断面形状を持つ折曲フレームからなる支柱フレームの上下端部をこれらのコーナー金具に接続金具で接合することにより、直方体状のフレームを構成した電気機器収納用箱のフレーム構造であって、コーナー金具は底部と立上部の両側に折曲辺を備えた形状であり、天井枠及び底枠を形成する横フレームは連結部の両側に腕部を備えた形状であり、支柱フレームは固定辺とこれに平行な対向辺を備えた形状であり、コーナー金具の両側の折曲辺を、横フレームの両側の腕部と、支柱フレームの固定辺及び対向辺に当接させて接合したことを特徴とするものである。
【０００７】
請求項２の発明は請求項１の発明において、扉が取付けられる前面側のコーナー金具と支柱フレームとの接続金具を、扉の端部の折曲部よりも箱体の内側に形成したことを特徴とするものである。
【０００８】
請求項３の発明は請求項２の発明において、コーナー金具と支柱フレームとの接続金具による接合を、箱体の前後方向と側面方向の２方向から行ない、側面方向の接続金具を側板で覆ったことを特徴とするものである。
【０００９】
請求項４の発明は請求項３の発明において、支柱フレームには、側板を固定するための取付金具を着脱自在に設け、隣接する箱体を連結する連結金具として機能させることを特徴とするものである。
【００１０】
請求項５の発明は請求項１の発明において、前記天井枠及び底枠は折曲フレームからなる横フレーム及び奥行フレームからなり、これらの横フレーム及び奥行フレームの端部に空間部を形成し、この空間部にコーナー金具を接合したことを特徴とするものである。
【発明の効果】
【００１１】
本発明によれば、各フレーム及びコーナー金具を全て折曲げ構造としたので、従来のような鋳造による専用部品を必要とせず、簡単な構造で強固なフレームを構成することができる。
【００１２】
請求項２の発明によれば、前面側のコーナー金具と支柱フレームとの接続部を、扉の端部の折曲部よりも箱体の内側に形成したので、扉の閉塞時に接続金具が隠されるとともに、扉の開放時にも扉と接続金具との干渉を避けることができる。
【００１３】
請求項３の発明によれば、箱体の前後・左右方向に対して強度を持たせることができるとともに、側面方向の接続金具を側板で覆い接続金具が隠されるように形成される。
【００１４】
請求項４の発明によれば、側板を固定するための取付金具を、隣接する箱体との連結金具として機能させることができるため、部品点数の削減が可能である。
【００１５】
請求項５の発明によれば、天井枠及び底枠を折曲フレームからなる横フレーム及び奥行フレームにより構成し、これらの横フレーム及び奥行フレームの端部に形成した空間部にコーナー金具を接合したので、コーナー金具の位置規制が可能となり、接合が容易となる。
【図面の簡単な説明】
【００１６】
【図１】実施形態のフレーム構造を示す斜視図である。
【図２】実施形態の電気機器収納用箱の外観を示す斜視図である。
【図３】横フレームの説明図である。
【図４】奥行フレームの説明図である。
【図５】コーナー部の分解斜視図である。
【図６】コーナー部の分解斜視図である。
【図７】底部の分解斜視図である。
【図８】コーナー金具の斜視図である。
【図９】支柱フレームの説明図である。
【図１０】コーナー金具と支柱フレームの関係を示す斜視図である。
【図１１】支柱フレームの取付け構造を示す斜視図である。
【図１２】コーナー部の斜視図である。
【図１３】扉を閉じた状態の水平断面図である。
【図１４】扉を閉じた状態の斜視図である。
【図１５】取付金具と支柱フレームとの関係を示す斜視図である。
【図１６】天井コーナー部の斜視図である。
【図１７】天井コーナー部の斜視図である。
【図１８】蝶番部分の斜視図である。
【図１９】ハンドル部分の斜視図である。
【図２０】扉裏面の斜視図である。
【図２１】鎖錠状態を示す斜視図である。
【図２２】隣接する筐体を連結する取付金具の連結面の状態を示す斜視図である。
【図２３】隣接する筐体を連結した状態を示す斜視図である。
【図２４】基台の説明図である。
【図２５】第２の実施形態を示す斜視図である。
【図２６】第２の実施形態の支柱フレームの説明図である。
【図２７】第２の実施形態の扉の下端部を示す斜視図である。
【図２８】第２の実施形態の扉の下端部の説明図である。
【図２９】第２の実施形態の横フレームの説明図である。
【図３０】第２の実施形態の鎖錠棒固定孔の説明図である。
【図３１】第３の実施形態の片側の扉の斜視図である。
【図３２】第３の実施形態の他方の扉の斜視図である。
【図３３】第３の実施形態を示す斜視図である。
【発明を実施するための形態】
【００１７】
以下に本発明の実施形態を説明する。
（第１の実施形態）
図１に示すように、本発明の電気機器収納用箱のフレーム構造は、天井枠１、底枠２、コーナー金具３、支柱フレーム４により構成されるものである。図２に示すように、前面には扉５が取付けられ、他の側面は側板６で覆われる。また上面は天井板７で覆われ、下面は図７に示すように底板８で覆われる。なお９は基台、１０は扉５のハンドル、１１は天井枠１の四隅に取付けられた吊下ボルトである。
【００１８】
図１に示されるように、天井枠１及び底枠２は横フレーム１２及び奥行フレーム１３からなるものである。図３は横フレーム１２を示す図であり、鋼板等の金属板を折り曲げた折曲フレームである。なお図３は底枠２の横フレーム１２を示しており、天井枠１の横フレーム１２は天地が逆になる。
【００１９】
図３に示すように、この横フレーム１２は箱体の内面側となる上面に開いた断面形状を持ち、略Ｈ状となっている。この横フレーム１２は、図３の断面図に示されるとおり、両側の腕部１４、１５と、それらを繋ぐ連結部１６と、一方の腕部１４に連設された底板固定辺１７と、他方の腕部１５に連設された水切形成辺１８と水切辺１９とからなる。底板固定辺１７と水切形成辺１８は、底面となる連結部１６と平行である。底板固定辺１７には、底板８を固定するための孔部２０が複数個形成されている。底板固定辺１７は箱体の内側を向く方向に配置され、水切辺１９は箱体の外側を向く方向に配置される。
【００２０】
図４は底枠２の奥行フレーム１３の説明図である。この奥行フレーム１３も横フレーム１２と同様、箱体の内面側となる上面に開いた断面形状を持ち、図４の断面図に示されるとおり、両側の腕部２１、２２と、それらをつなぐ連結部２３と、腕部２１に連設された底板固定辺２４と、他方の腕部２２に連設された取付具固定辺２５とを備えている。底板固定辺２４には、多数の固定孔２６が形成されている。取付具固定辺２５にも多数の固定孔２７が形成されている。腕部２１の延長面上に、切欠部２８を備えた延出辺２９が形成されている。取付具固定辺２５が形成された腕部２２は、強度を持たせるために段曲げ形状となっている。この段曲げ部の一部を取付具固定辺２５より前後方向に延出させ、延出辺３０を形成している。
【００２１】
奥行フレーム１３の連結部２３の端部付近には、アンカーボルトあるいは吊下ボルト１１を通過させるための貫通孔３３が形成されている。奥行フレーム１３は底板固定辺２４を箱体の内側に向けて配置される。
【００２２】
図５、図６に示すように、横フレーム１２と奥行フレーム１３とを組み合わせたとき、奥行フレーム１３の延出辺２９に形成された切欠部２８に、横フレーム１２のＨ状に形成された腕部１４が挿入される。また横フレーム１２の他方の腕部１５は、奥行フレーム１３の取付具固定辺２５に形成された延出辺３０の端部に当接する。このようにして、横フレーム１２と奥行フレーム１３とを組み合わせると、図６に示すように、横フレーム１２の２つの腕部１４、１５と、奥行フレーム１３の２つの延出辺２９、３０によって囲まれた空間部３４がコーナー部に形成される。コーナー金具３はこの空間部３４内に位置規制され、溶接接合される。なお、コーナー金具３はボルト等の接続金具で奥行きフレーム１３に接合するものであっても良い。また、横フレーム１２の連結部１６上には図６、図７に示すように、アース端子１００を取り付けるアース端子取付金具１０１を形成している。
【００２３】
図７に示すように、底板８は横フレーム１２の底板固定辺２４に固定される。この実施形態では、底板８は２枚に分割されているが、１枚とすることもできる。２枚に分割する場合には、強度を確保するために、中央側の端部を図７に示す折曲げ構造とする折曲部８ａを形成することが好ましい。
【００２４】
図８に示すように、コーナー金具３は縦断面が略Ｌ字形状であり、底部４１、これに対して垂直な立上部４２、それらの側面に形成された折曲辺４３を備えた折曲部材からなる。底部４１には貫通孔４４が形成され、立上部４２と折曲辺４３にも接続孔４５が形成されている。コーナー金具３は左右対称であり、同一形状で８つのコーナーに使用することができる。コーナー金具３は天井枠１及び底枠２を支柱フレーム４と接続するために用いるものであるが、横フレーム１２の腕部１４，１５と、コーナー金具３の底部４１の両端の折曲辺４３が当接することにより前後方向に対しての補強効果を発揮するものである。さらに、奥行フレーム１３の腕部２１、２２と、コーナー金具３の底部４１の開放端部および立上部４２が当接することにより、左右方向に対しての補強効果も発揮するものである。なお、立上部４２と折曲辺４３の接続部には複数の切欠孔３１を形成している。これは、接続部付近に形成される接続孔４５が曲げ加工時に引っ張られて孔変形することを防止するために設けられている。
【００２５】
支柱フレーム４も、図９に示すように箱体の内面側に開いた断面形状を持つ折曲フレームである。支柱フレーム４は、扉側を向いた固定辺５０と、その一端に連設された水切辺５１と、固定辺５０の他端に連設されたＬ字状の折曲辺５２と、固定辺５０に対して垂直な接続辺５３と、固定辺５０に対して平行な対向辺５４と、その先端を直角に折り曲げた機器取付辺５５とを備えている。固定辺５０は箱体の外側を向き、対向辺５４は内側を向く。すなわち、対向辺５４は前後の支柱フレーム４と対向する面であり、接続辺５３は側板６に面するものである。
【００２６】
固定辺５０には、コーナー金具３を接続するための接続孔５６が形成されている。水切辺５１の下端は横フレーム１２の水切辺１９と当接する。接続辺５３にもコーナー金具３を接続するための接続孔５７が形成されている。対向辺５４には、電気機器の取付レール、配線オプション等を固定する孔部５８が形成されている。機器取付辺５５には電気機器や、電気機器を搭載する棚板などが取り付けられる機器取付孔５９が形成されている。
【００２７】
上記したように、コーナー金具３との接続辺は固定辺５０と接続辺５３の２辺であり、他の辺の孔はそれぞれ垂直方向に形成されている。
【００２８】
図１０〜図１４に、底枠２と支柱フレーム４とコーナー金具３との関係を示す。コーナー金具３は底枠２の前記空間部３４内に装入され、図１０のように溶接される。次に支柱フレーム４をその立上部４２や折曲辺４３の外側面に沿って差し込み、図１１のように支柱フレーム４の固定辺５０の接続孔５６から接続金具となるネジ６０をねじ込み、支柱フレーム４の接続辺５３の接続孔５７からネジ６１をねじ込み、支柱フレーム４をコーナー金具３に固定する。すなわち、図１３に示すように、コーナー金具３と支柱フレーム４との接続は、箱体の前後方向と側面方向の２方向から行なうこととなる。さらに、コーナー金具３の立上辺から形成された両端の折曲辺４３は、それぞれ、支柱フレーム４の固定辺５０と対向辺５４に当接させるように形成していることから前後方向に対しての補強効果を更に持たせることが可能である。
【００２９】
このようにコーナー金具３を箱体の外側に近い位置に配置して支柱フレーム４を支持させたので、箱体内部の機器取付けスペースを圧迫することがない。また支柱フレーム４は前後方向と横方向の２方向から接続金具となるネジ６０、６１によりコーナー金具３に固定されているので、電気機器収納用箱の左右方向及び前後方向の動きを抑制し、強度を持たせることができる。
【００３０】
図１５に示すように、支柱フレーム４の接続辺５３と対向辺５４との接続部には複数のスリット６２が形成されており、クランク状の取付金具６３が挿入され、ネジ６４によって固定されている。この取付金具６３は側板６を取付けるために使用され、詳しくは、図１５や図１８に示すように、取付金具６４の側板取付面４８の取付孔４９と側板６をネジ４７で取付ける。取付金具６３をクランク状に屈曲させ、側板６の取付面６５を支柱フレーム４の接続辺５３よりもやや外側に位置させる。またクランク状に屈曲させることによって、取付金具６３の強度を向上させている。
【００３１】
なお、取付金具６３を支柱フレーム４の接続辺５３の外面に設けると、側板６が支柱フレーム４より外側に突出してしまうこととなる。また取付金具６３をＬ字状とすると対向辺５４の孔部５８を利用して取り付けることとなり、孔部５８に取り付けられる取付レール等の取付位置が制限されてしまう。さらに、取付金具６３は鋼板で折り曲げ形成しているため、クランク量を短くする場合には折り曲げができないといった問題点や、または、鋼板の厚さを薄くする必要があるという問題点が生じる。これに対して実施形態のようにスリット６２にクランク状の取付金具６３を挿入して固定すれば、これらの問題を回避することができる。また、取付金具６３の上下端部がスリット６２の端部で当接するように固定するため、取付金具６３が回動することも防止できる。
【００３２】
なお、この取付金具６３は着脱可能に形成しており、側板６が不要な場合は外しておくことも可能である。さらに、取付金具６３は側板６を取り付けるほか、図２２や図２３に示すように、隣接する箱体の取付金具６３とを接続し連結させるための連結金具としても機能するものである。両フレーム構造の取付金具６３の連結面６６を面合せした上で、孔部６７にボルト６９で固定されるものである。なお、取付金具６３は、側板６の固定と隣接するフレーム構造との連結金具とを兼ねるため、部品点数を削減できるものである。
【００３３】
以上の説明は箱体の下側における底枠２と支柱フレーム４とコーナー金具３、側板６との関係について行ったが、上側の天井枠１と支柱フレーム４とコーナー金具３との関係も、天地が逆になるだけで同様である。その状態を図１６、図１７に示す。
【００３４】
次に扉５の構造について説明する。図１８〜図２０に示すように、扉５は箱体側蝶番７０と扉側蝶番７１と蝶番ピン７２とによって箱体の前面に枢着されている。図１３、図１４に示すように、扉５の先端部には扉５の中央に向かう折曲部７３が形成されており、扉５を閉じた際に支柱フレーム４の固定辺５０のネジ６０を覆う様に形成されている。すなわち、前面側のコーナー金具３と支柱フレーム４との接続は、扉５の端部の折曲部７３よりも箱体の内側で行なわれている。れにより、扉５の閉塞時には、接続金具となるネジ６０が隠されるとともに、扉５の開放時にも扉５と接続金具との干渉を避けることができる。なお側板６も左右上下端部には側板６の中央に向かう折曲部６ａが形成しており、支柱フレーム４とコーナー金具３とを接続するネジ６１を覆っている。また、扉５の裏面には上記の扉側蝶番７１よりも内側にパッキン７４が形成しており、扉５の閉塞時に支柱フレームの水切辺５１、横フレーム１２の水切辺１９と当接し、防水防塵性能を確保させている。
【００３５】
ハンドル１０の構造を示すため扉５の表面を省略した図１９に示すように、扉５に表面にはハンドル１０が設けられており、その裏面には図２０に示すベロ８１が取付けられている。図２１に示すように、ハンドル操作によってベロ８１は支柱フレーム４の固定辺５０の裏面に係合する。またベロ８１の上下のアームには上下の鎖錠棒８２の基端が枢着されている。鎖錠棒８２の先端は扉５の裏面の鎖錠棒規制部材８３にガイドされ、ハンドル操作によって図２１に示すように横フレーム１２の腕部１５の裏面に係合する。このため扉５を閉鎖位置にロックすることができる。鎖錠棒８２の上部も下部と同様に横フレーム１２の腕部１５の裏面に係合し、扉５に形成した鎖錠棒規制部材８３によりガイドされている。
【００３６】
図２４に示すように、基台９は４本の折曲フレーム８４、８５を溶接して構成される。基台９の上面に電気機器収納用箱が搭載され、図２１に示すように奥行フレーム１３の貫通孔３３及びコーナー金具３の貫通孔４４を貫通するボルト８６によって基台９に固定される。また基台９の下面には、アンカーボルト等を通すためのボルト取付孔８７が形成されている。
【００３７】
（第２の実施形態）
以上に説明した第１の実施形態においては、横フレーム１２と支柱フレーム４にそれぞれ水切辺１９、水切辺５１を形成し、外部からの水の浸入を防止している。しかし図２５以下に示す第２の実施形態においては、図２６に示すように水切辺５１のない支柱フレーム４が使用されている。この場合には、図２７、図２８に示すように、扉５の折曲部７３を左右側だけではなく上下端部にも形成するとともに、その対向位置にパッキン９０を形成し、防水防塵性能を持たせている。また、この実施形態においても、支柱フレーム４とコーナー金具３との接続部となるネジ６０，６１をパッキン９０よりも箱体の内側に位置させている。
【００３８】
第２の実施形態においては、図２９に示すように横フレーム１２の水切形成辺１８を内側に折り曲げている。また支柱フレーム４も図９に示すように水切辺５１を内側に折り曲げた図２８に示す構造としている。なお、奥行きフレーム１３は図４と同じである。
【００３９】
また第２の実施形態においては、図３０に示すように横フレーム１２の水切形成辺１８に鎖錠棒固定孔９１を形成している。この鎖錠棒固定孔９１を横フレーム１２の両端部に形成しておけば、扉５を右開きとしても左開きとしても共用することができる。さらに中央部にも形成しておけば、両開きの扉にも共用可能である。
【００４０】
（第３の実施形態）
第３の実施形態は、図３３に示すように、扉５を両開き構造としたものである。この場合には、一方の扉５に図３１に示すようにベロ８１と鎖錠棒８２を操作できるハンドル１０を取付け、他方の扉５に図３２に示すようにベロ８１のない鎖錠棒８２とハンドル１０とを取付けておく。図３２の後者の扉５を先ず閉鎖状態とし、鎖錠棒８２を横フレーム１２の水切形成辺１８の裏面側に固定する。この扉５のハンドル側の端部には、切欠部９２を形成しておく。そして図３１の一方の扉５を閉じたときに、ベロ８１を切欠部９２に挿入するとともに、鎖錠棒８２の先端を横フレーム１２の裏面側に係合させ、両方の扉５を閉鎖状態とする。なお、その他のフレーム構造等の構成は第１の実施形態、第２の実施形態と同様である。
【００４１】
以上に説明したように、本発明の電気機器収納用箱のフレーム構造は、構造が簡単で製造コストが安価であり、鋳造による専用部品を必要とせずに強固な構造とすることができる利点がある。
【符号の説明】
【００４２】
１  天井枠
２  底枠
３  コーナー金具
４  支柱フレーム
５  扉
６  側板
６ａ  折曲部
７  天井板
８  底板
８ａ  折曲部
８ｂ  ねじ
９  基台
１０  ハンドル
１１  吊下ボルト
１２  横フレーム
１３  奥行フレーム
１４  腕部
１５  腕部
１６  連結部
１７  底板固定辺
１８  水切形成辺
１９  水切辺
２０  孔部
２１  腕部
２２  腕部
２３  連結部
２４  底板固定辺
２５  取付具固定辺
２６  固定孔
２７  固定孔
２８  切欠部
２９  延出辺
３０  延出辺
３１  切欠孔
３３  貫通孔
３４  空間部
４１  底部
４２  立上部
４３  折曲辺
４４  貫通孔
４５  接続孔
４７  ネジ
４８  側板取付面
４９  取付孔
５０  固定辺
５１  水切辺
５２  折曲辺
５３  接続辺
５４  対向辺
５５  機器取付辺
５６  接続孔
５７  接続孔
５８  孔部
５９  機器取付孔
６０  ネジ
６１  ネジ
６２  スリット
６３  取付金具
６４  ネジ
６５  取付面
６６  連結面
６７  孔部
６８  取付孔
６９  ボルト
７０  箱体側蝶番
７１  扉側蝶番
７２  蝶番ピン
７３  折曲部
７４  パッキン
８１  ベロ
８２  鎖錠棒
８３  鎖錠棒規制部材
８４  折曲フレーム
８５  折曲フレーム
８６  ボルト
８７  ボルト取付孔
９０  パッキン
９１  鎖錠棒固定孔
９２  切欠部
１００  アース端子
１０１  アース端子取付金具
【図１】
0006501610.tif 000002
【図２】
0006501610.tif 000003
【図３】
0006501610.tif 000004
【図４】
0006501610.tif 000005
【図５】
0006501610.tif 000006
【図６】
0006501610.tif 000007
【図７】
0006501610.tif 000008
【図８】
0006501610.tif 000009
【図９】
0006501610.tif 000010
【図１０】
0006501610.tif 000011
【図１１】
0006501610.tif 000012
【図１２】
0006501610.tif 000013
【図１３】
0006501610.tif 000014
【図１４】
0006501610.tif 000015
【図１５】
0006501610.tif 000016
【図１６】
0006501610.tif 000017
【図１７】
0006501610.tif 000018
【図１８】
0006501610.tif 000019
【図１９】
0006501610.tif 000020
【図２０】
0006501610.tif 000021
【図２１】
0006501610.tif 000022
【図２２】
0006501610.tif 000023
【図２３】
0006501610.tif 000024
【図２４】
0006501610.tif 000025
【図２５】
0006501610.tif 000026
【図２６】
0006501610.tif 000027
【図２７】
0006501610.tif 000028
【図２８】
0006501610.tif 000029
【図２９】
0006501610.tif 000030
【図３０】
0006501610.tif 000031
【図３１】
0006501610.tif 000032
【図３２】
0006501610.tif 000033
【図３３】
0006501610.tif 000034